(57)【要約】【課題】複数種の製品を容易に生産できる製品生産システム及び製品生産方法の提供。【解決手段】携帯電話機１１０の仕掛品１００に付され、携帯電話機１１０の生産条件に関する情報を記憶するＩＣタグ１２０及びＩＣタグ１２０から携帯電話機１１０の生産条件に関する情報を読み出し、読み出した携帯電話機１１０の生産条件に関する情報に基づきＩＣタグ１２０が付された仕掛品１００に携帯電話機１１０の部品を実装する実装装置１４０と、ＩＣタグ１２０から携帯電話機１１０の生産条件に関する情報を読み出し、読み出した携帯電話機１１０の生産条件に関する情報に基づき携帯電話機１１０の部品が実装され、ＩＣタグ１２０が付された仕掛品１００の検査をおこなう検査装置１５０と、携帯電話機１１０の生産に関する情報をＩＣタグ１２０に書き込む編集装置１３０とを備える。【選択図】        図１
2004252566.tif 000002
【特許請求の範囲】
【請求項１】
非接触ＩＣタグと生産装置とからなる製品生産システムであって、
前記非接触ＩＣタグは、
当該製品の仕掛品に具備され、当該製品の生産方法に関する生産条件情報を記憶し、
前記生産装置は、
前記非接触ＩＣタグから生産条件情報を読み出す生産条件情報読み出し手段と、
前記読み出した生産条件情報の内容を表示する生産方法表示手段とを備える
ことを特徴とする製品生産システム。
【請求項２】
前記生産装置は、さらに、
前記読み出した生産条件情報に基づいて前記非接触ＩＣタグが具備された当該製品の仕掛品から当該製品を生産する製品生産手段を備える
ことを特徴とする請求項１記載の製品生産システム。
【請求項３】
前記生産装置は、さらに、
前記生産条件情報に対応づけられた生産条件情報の内容に関する画像情報を記憶する第１画像情報記憶手段を備え、
前記生産方法表示手段は、
前記画像情報の内容を表示する
ことを特徴とする請求項１又は２記載の製品生産システム。
【請求項４】
前記非接触ＩＣタグは、さらに、
前記生産条件情報に対応づけられた生産条件情報の内容に関する画像情報を記憶し、
前記生産装置は、さらに、
前記非接触ＩＣタグから画像情報を読み出す画像情報読み出し手段を備え、
前記生産方法表示手段は、
前記画像情報の内容を表示する
ことを特徴とする請求項１又は２記載の製品生産システム。
【請求項５】
前記生産装置は、さらに、
複数の画像情報を記憶する第２画像情報記憶手段と、
前記複数の画像情報の中のいずれかを前記非接触ＩＣタグに書き込む画像情報書き込み手段とを備える
ことを特徴とする請求項４記載の製品生産システム。
【請求項６】
前記生産装置は、さらに、
新たな画像情報を作成する画像情報作成手段を備える
ことを特徴とする請求項５記載の製品生産システム。
【請求項７】
前記生産装置は、さらに、
複数の生産条件情報を記憶する生産条件情報記憶手段と、
前記複数の生産条件情報の中のいずれかを前記非接触ＩＣタグに書き込む生産条件情報書き込み手段とを備える
ことを特徴とする請求項１〜６のいずれか１項に記載の製品生産システム。
【請求項８】
前記生産装置は、さらに、
新たな生産条件情報を作成する生産情報作成手段を備える
ことを特徴とする請求項７記載の製品生産システム。
【請求項９】
当該製品の仕掛品に具備された非接触ＩＣタグと生産装置とからなる製品生産システムにおいて当該製品の仕掛品から当該製品を生産する方法であって、
前記非接触ＩＣタグには、当該製品の生産方法に関する生産条件情報が格納され、
前記生産装置が前記非接触ＩＣタグから生産条件情報を受信する受信ステップと、
前記受信した生産条件情報の内容を表示する表示ステップと
を有することを特徴とする製品生産方法。
【請求項１０】
前記製品生産方法は、さらに、
前記受信した生産条件情報に基づいて前記非接触ＩＣタグが具備された仕掛品から当該製品を生産する製品生産ステップを有する
ことを特徴とする請求項９記載の製品生産方法。
【請求項１１】
前記生産装置には、前記生産条件情報に対応づけられた生産条件情報の内容に関する画像情報が格納され、
前記表示ステップでは、前記画像情報の内容を表示する
ことを特徴とする請求項９又は１０記載の製品生産方法。
【請求項１２】
前記非接触ＩＣタグには、前記生産条件情報に対応づけられた生産条件情報の内容に関する画像情報が格納され、
前記生産装置は、前記非接触ＩＣタグから前記画像情報を読み出し、
前記表示ステップでは、前記画像情報の内容を表示する
ことを特徴とする請求項９又は１０記載の製品生産方法。
【請求項１３】
前記製品生産方法は、さらに、
予め保持する複数の画像情報の中からいずれかを前記非接触ＩＣタグに書き込む画像情報書き込みステップを有する
ことを特徴とする請求項１２記載の製品生産方法。
【請求項１４】
前記製品生産方法は、さらに、
前記生産装置が新たな画像情報を作成する画像情報作成ステップを有する
ことを特徴とする請求項１３記載の製品生産方法。
【請求項１５】
前記製品生産方法は、さらに、
予め保持する複数の生産条件情報の中からいずれかを前記非接触ＩＣタグに書き込む生産条件情報書き込みステップを有する
ことを特徴とする請求項９〜１４のいずれか１項に記載の製品生産方法。
【請求項１６】
前記製品生産方法は、さらに、
前記生産装置が新たな生産条件情報を作成する生産条件情報作成ステップを有する
ことを特徴とする請求項１５記載の製品生産方法。
【請求項１７】
製品生産システムのためのプログラムであって、
請求項１〜８のいずれか１項に記載のシステムが備える手段として、
コンピュータを機能させるプログラム。
【発明の詳細な説明】
【０００１】
【発明の属する技術分野】
本発明は、非接触ＩＣタグを用いた製品の生産システム及び生産方法に関する。
【０００２】
【従来の技術】
近年、消費者の価値観の多様化により、生産者には多品種の製品を生産することが要求される。しかし、複数種の製品の生産は、生産ラインの稼働率を悪くする。そのため、生産者は、製造・サービスなど多くの分野において製品の低コスト化が要求される現状を考慮に入れると、容易に複数種の製品の生産をおこなうことができない。
【０００３】
このような問題を解決するための先行事例として、「多品種製品生産方式」がある（特許文献１参照）。これは、複数種の製品を容易に生産することを目的とするもので、工程の順序およびその組合せが同一の製品同士でグループ分けをおこない、各工程の間にグループ毎に仕掛品（半製品）を管理するための保管手段を設け、その保管手段を介して製品の生産をおこなうことで複数種の製品の生産をおこなっている。
【０００４】
【特許文献１】
特開昭５６−１１４６５０号公報
【０００５】
【発明が解決しようとする課題】
しかしながら、従来の製品の生産方式では、工程の順序およびその組合せが同一の製品同士でグループ分けをおこなうため、グループ分けの工程を加えなければならず、また、グループ毎に生産をおこなうため、工程間で仕掛品を保管するという工程を加えなければならない。そのため、複数種の製品を生産することは、１種類の製品を生産するよりもコストが高くなり、依然生産者は、容易に複数種の製品を生産できないという問題がある。
【０００６】
また、従来の製品の生産方式では、複数種の製品の生産は工程の組合せのパターンで対応できることを前提としており、製品毎に工程の内容を変更する必要がある場合には対応できないという問題がある。つまり、従来の生産方式では、Ａ→Ｂ→Ｃという工程から生産される商品Ｘと、Ａ→Ｃ→Ｂという工程から生産される商品Ｙとは同時に生産することはできるが、Ａ→Ｂ→Ｃという工程から生産される商品Ｘと、Ａ→Ｅ→Ｃという工程から生産される商品Ｚとは同時に生産することができない。
【０００７】
そこで、本発明は、かかる問題点に鑑み、複数種の製品を容易に生産できる製品生産システムを提供することを第１の目的とする。また、工程の内容が異なる製品を容易に生産できる製品生産システムを提供することを第２の目的とする。
【０００８】
【課題を解決するための手段】
上記目的を達成するために、本発明に関わる製品生産システムは、非接触ＩＣタグと生産装置とからなる製品生産システムであって、前記非接触ＩＣタグは、当該製品の仕掛品に具備され、当該製品の生産方法に関する生産条件情報を記憶し、前記生産装置は、前記非接触ＩＣタグから生産条件情報を読み出す生産条件情報読み出し手段と、前記読み出した生産条件情報の内容を表示する生産方法表示手段とを備えることを特徴とする。
【０００９】
これによって、生産装置のユーザは、製品の生産方法を閲覧し、それに従って仕掛品から製品を生産するので、複数種の製品を容易に生産でき、かつ、工程の内容が異なる２つの製品を容易に生産できるという効果が発揮される。
【００１０】
また、前記生産装置は、さらに、前記読み出した生産条件情報に基づいて前記非接触ＩＣタグが具備された当該製品の仕掛品から当該製品を生産する製品生産手段を備えてもよい。
【００１１】
これによって、生産装置は、仕掛品に付された非接触ＩＣタグから読み出した生産条件情報に基づいて製品を生産するので、製品が自身の仕様を決定する権限を持つことができ、従来には無い新たな製品主導型の生産システムが実現される。
【００１２】
また、前記生産装置は、さらに、前記生産条件情報に対応づけられた生産条件情報の内容に関する画像情報を記憶する画像情報記憶手段を備え、前記生産方法表示手段は、前記画像情報の内容を表示してもよい。
【００１３】
これによって、生産装置のユーザは、仕掛品から製品を生産する過程でその製品の生産方法を画像により確認することができるので、仕掛品から製品を正確に生産できるという効果が発揮される。
【００１４】
また、前記非接触ＩＣタグは、さらに、前記生産条件情報に対応づけられた生産条件情報の内容に関する画像情報を記憶し、前記生産装置は、さらに、前記非接触ＩＣタグから画像情報を読み出す画像情報読み出し手段を備え、前記生産方法表示手段は、前記画像情報の内容を表示してもよい。
【００１５】
これによって、生産装置は画像情報を記憶する必要が無いので、非接触ＩＣタグは、生産装置の負担を軽減できるという効果が発揮される。
また、前記生産装置は、さらに、複数の画像情報を記憶する画像情報記憶手段と、前記複数の画像情報の中のいずれかを前記非接触ＩＣタグに書き込む画像情報書き込み手段とを備えてもよい。
【００１６】
これによって、生産装置は、新たな生産条件を非接触ＩＣタグに登録することができるので、新しい製品を容易に生産できるという効果が発揮される。
また、前記生産装置は、さらに、複数の生産条件情報を記憶する生産条件情報記憶手段と、前記複数の生産条件情報の中のいずれかを前記非接触ＩＣタグに書き込む生産条件情報書き込み手段とを備えてもよい。
【００１７】
これによって、生産装置は、新たな生産条件情報を作成することができるので、新たな製品のアイデアを迅速且つ容易に製品の生産につなげることができ、常に新しい製品を要求する市場に対応できるという効果が発揮される。
【００１８】
なお、本発明は、このような製品生産システムとして実現することができるだけでなく、このような製品生産システムが備える特徴的な手段をステップとする製品生産方法として実現したり、それらのステップをコンピュータに実現させるプログラムとして実現したりすることもできる。そして、そのようなプログラムは、ＣＤ−ＲＯＭ等の記録媒体やインターネット等の伝送媒体を介して配信できるのは言うまでもない。
【００１９】
【発明の実施の形態】
以下、本発明の実施の形態における携帯電話機生産システムについて、図面を参照しながら説明する。
【００２０】
図１は、本発明の実施の形態における携帯電話機生産システムの使用状況を示すシステム構成図である。
本実施の形態の携帯電話機生産システムは、製品の仕様を決定する権限を生産装置ではなく製品の仕掛品に持たせた製品主導型の生産システムであり、電子部品が実装されたプリント基板等の仕掛品１００から製品である携帯電話機１１０を生産する生産ラインにおいて仕掛品１００から複数種の携帯電話機１１０を生産することを目的とし、プリント基板等の仕掛品１００と、仕掛品１００から生産された携帯電話機１１０と、仕掛品１００に付されたＩＣタグ１２０と、携帯電話機１１０の生産条件に関する生産条件情報をＩＣタグ１２０に書き込む編集装置１３０と、ＩＣタグ１２０が付された仕掛品１００に携帯電話機１１０の部品を実装する実装装置１４０と、携帯電話機１１０の部品が実装された仕掛品１００の検査をおこなう検査装置１５０とから構成される。
【００２１】
図２は、本発明の本実施の形態における製品生産システムの内部構成を示すブロック図である。
編集装置１３０は、生産条件情報を記憶し、記憶している生産条件情報をＩＣタグ１２０に書き込むものであり、機能的に編集装置記憶部１３１と、編集装置アンテナ部１３２と、編集装置送信部１３３と、編集装置制御部１３４とから構成される。
【００２２】
編集装置記憶部１３１は、実装条件テーブル１３１ａと、検査条件テーブル１３１ｂと、生産条件テーブル１３１ｃとを記憶する。
図３は、実装条件テーブル１３１ａの内容を示すテーブル図である。
【００２３】
この図３に示すように、実装条件テーブル１３１ａは、複数の実装条件データから構成され、各実装条件データには、仕掛品１００から携帯電話機１１０を生産するために仕掛品１００に対しておこなう携帯電話機１１０の部品の実装の内容が登録されている。携帯電話機１１０の部品の実装の内容とは、どのような形の画面を実装するのかと、どのような形の外装を実装するのかと、どのような形のアンテナを実装するのかと、どのような形のボタンを実装するのかとの組合せである。例えば、「実装条件１」という実装条件データには、「仕掛品１００に丸形の画面と、折りたたみ式の外装と、棒型のアンテナと、丸型のボタンとを実装する。」といった内容が登録されている。
【００２４】
図４は、検査条件テーブル１３１ｂの内容を示すテーブル図である。
この図４に示すように、検査条件テーブル１３１ｂは、複数の検査条件データから構成され、各検査条件データには、仕掛品１００から携帯電話機１１０を生産するために携帯電話機１１０の部品が実装された仕掛品１００に対しておこなう検査の内容が登録されている。検査の内容とは、画面に画像や文字が表示されるかの検査と、アンテナで電波を受信できるかの検査と、操作ボタンで情報を入力できるかの検査との組み合せである。例えば、「検査条件４」という検査条件データには、「携帯電話機１１０の部品が実装された仕掛品１００の画面に画像や文字が表示されるかの検査と、アンテナで電波を受信できるかの検査とをおこなう。」といった内容が登録されている。ここで、検査条件テーブル１３１ｂにおいて、○は、検査をおこなうことを示しており、×は、検査をおこなわないことを示している。
【００２５】
図５は、生産条件テーブル１３１ｃの内容を示すテーブル図である。
この図５に示すように、生産条件テーブル１３１ｃは、複数の生産条件情報から構成され、各生産条件情報には、実装条件データと、検査条件データとが含まれている。例えば、「生産条件１」という生産条件情報には、「実装条件１」という実装条件データと、「検査条件１」という検査条件データとが含まれ、「仕掛品１００に丸形の画面と、折りたたみ式の外装と、棒型のアンテナと、丸型のボタンとを実装し、実装された仕掛品１００の画面に画像や文字が表示されるかの検査と、アンテナで電波を受信できるかの検査と、操作ボタンで情報を入力できるかの検査とをおこなう。」といった内容が登録されている（図３、４参照）。なお、生産条件情報を構成する実装条件データに登録されている実装の内容として図３では画面、外装、アンテナ、ボタンの実装を例示し、検査条件データに登録されている検査の内容として図４では画面に画像や文字が表示されるかの検査、アンテナで電波を受信できるかの検査、操作ボタンで情報を入力できるかの検査を例示した。しかし、本実施の形態において生産条件情報はＩＣタグ１２０に記憶されることから、生産条件情報は比較的大きな情報であってもよい。すなわち、生産条件情報を構成する実装条件データと検査条件データとはより複雑なデータであってもよい。例えば、実装条件データに数十パターンの実装の内容を登録してもよいし、検査条件データに数十パターンの検査の内容を登録してもよい。
【００２６】
編集装置アンテナ部１３２は、コイル状のアンテナ等であり、生産条件情報と、書き込みコマンドとを含む所定周波数の電波をＩＣタグ１２０に送信する。ここで、書き込みコマンドとは、生産条件情報を記憶するようにＩＣタグ１２０に指示する信号である。
【００２７】
編集装置送信部１３３は、変調回路と復調回路等からなり、書き込みコマンドと、生産条件情報とを編集装置制御部１３４から受信し、受信した書き込みコマンドと、生産条件情報とを所定周波数の信号に変調し、編集装置アンテナ部１３２に送信する。
【００２８】
編集装置制御部１３４は、編集装置記憶部１３１に記憶されている生産条件テーブル１３１ｃに含まれる生産条件情報の一覧を表示装置に表示し、操作装置（図外）による選択に従って生産条件情報の一覧から生産条件情報を選択し、選択した生産条件情報と、書き込みコマンドとを編集装置送信部１３３に送信する。また、編集装置制御部１３４は、実装条件登録部１３４ａと、検査条件登録部１３４ｂと、生産条件登録部１３４ｃとを備え、実装条件登録部１３４ａにより新たな実装条件データを作成し、検査条件登録部１３４ｂにより新たな検査条件データを作成し、生産条件登録部１３４ｃにより新たな生産条件情報を作成する。
【００２９】
ＩＣタグ１２０は、仕掛品１００に着脱可能で１ｍｍ程度の厚みを有する３０ｍｍ×３０ｍｍのシート状の形状をしており、生産条件情報を記憶し、その記憶している生産条件情報を実装装置１４０と検査装置１５０とに送信するものであり、機能的にタグアンテナ部１２１と、タグ送受信部１２２と、電源部１２３と、タグ記憶部１２４と、タグ制御部１２５とから構成される。
【００３０】
タグアンテナ部１２１は、コイル状のアンテナ等であり、読み出しコマンドを含む所定周波数の電波を受信し、受信している間、電磁誘導方式等により交流電力を生成し、その交流電力を電源部１２３に供給し、生産条件情報を所定周波数の電波として実装装置１４０と検査装置１５０とに送信する。ここで、読み出しコマンドとは、生産条件情報を送信するようにＩＣタグ１２０に指示する信号である。タグアンテナ部１２１は、生産条件情報と、書き込みコマンドとを含む所定周波数の電波を受信し、受信している間、電磁誘導方式等により交流電力を生成し、その交流電力を電源部１２３に供給する。
【００３１】
タグ送受信部１２２は、変調回路と復調回路等からなり、タグアンテナ部１２１により受信した所定周波数の電波を復調し、書き込みコマンドと、読み出しコマンドと、生産条件情報とを再現し、再現した書き込みコマンドと、読み出しコマンドと、生産条件情報とをタグ制御部１２５に送信する。タグ送受信部１２２は、タグ制御部１２５から生産条件情報を受信し、受信した生産条件情報を所定周波数の信号に変調し、タグアンテナ部１２１に送信する。
【００３２】
電源部１２３は、供給された交流電力から直流電力を生成し、タグ送受信部１２２とタグ記憶部１２４およびタグ制御部１２５に供給する。
タグ記憶部１２４は、ＥＥＰＲＯＭ、ＦＥＲＡＭ、ＭＲＡＭ等の不揮発性のメモリからなり、生産条件情報を記憶する。
【００３３】
タグ制御部１２５は、読み出しコマンドに基づいてタグ記憶部１２４から生産条件情報を受信する。タグ制御部１２５は、書き込みコマンドに従って、タグ記憶部１２４に記憶されている生産条件情報をタグ送受信部１２２から受信した生産条件情報に置き換える。
【００３４】
実装装置１４０は、生産条件情報をＩＣタグ１２０から受信し、受信した生産条件情報に基づいてＩＣタグ１２０が付された仕掛品１００に携帯電話機１１０の部品を実装するものであり、機能的に実装装置記憶部１４１と、生産装置アンテナ部１４２と、生産装置送受信部１４３と、実装装置制御部１４４と、実装作業部１４５とから構成される。
【００３５】
実装装置記憶部１４１は、実装画像テーブル１４１ａを記憶する。
図６は、実装画像テーブル１４１ａの内容を示すテーブル図である。
この図６に示すように、実装画像テーブル１４１ａは、複数の実装画像情報から構成され、各実装画像情報には、実装条件データと、その実装条件データに基づいて実装された仕掛品１００の画像に関する画像データとが含まれている。例えば、「実装画像１」という実装画像情報には、「実装条件１」という実装条件データと、「画像１」という丸型の画面と、折りたたみ式の外装と、棒型のアンテナと、丸型のボタンとが実装された仕掛品１００の画像に関する画像データとが含まれている（図３参照）。
【００３６】
生産装置アンテナ部１４２は、コイル状のアンテナ等であり、読み出しコマンドを含む所定周波数の電波をＩＣタグ１２０に送信し、生産条件情報を含む所定周波数の電波をＩＣタグ１２０から受信する。
【００３７】
生産装置送受信部１４３は、変調回路と復調回路等からなり、読み出しコマンドを実装装置制御部１４４から受信し、受信した読み出しコマンドを所定周波数の信号に変調し、生産装置アンテナ部１４２に送信する。生産装置送受信部１４３は、生産装置アンテナ部１４２により受信した所定周波数の電波を復調し、生産条件情報を再現する。
【００３８】
実装装置制御部１４４は、読み出しコマンドを生産装置送受信部１４３に送信し、生産装置送受信部１４３から生産条件情報を受信し、受信した生産条件情報に含まれている実装条件データと、実装装置記憶部１４１に記憶されている実装画像テーブル１４１ａとに基づいて実装装置記憶部１４１から実装画像情報を受信し、受信した実装画像情報の内容を表示装置（図外）に表示し、受信した生産条件情報に含まれている実装条件データを実装作業部１４５に送信する。
【００３９】
実装作業部１４５は、予め複数の実装条件データに対応するＮＣデータを保持しており、実装装置制御部１４４から受信した実装条件データに基づいてＩＣタグ１２０が付された仕掛品１００に携帯電話機１１０の部品を実装する。ここで、ＮＣデータには、仕掛品１００に携帯電話機１１０の部品を実装するための実装作業部１４５の動作の内容が登録されている。動作の内容とは、携帯電話機１１０の部品を選択する動作と、その選択した携帯電話機１１０の部品を仕掛品１００に実装する動作との組合せである。例えば、「実装条件１」という実装条件データに対応するＮＣデータには、丸形の画面と、折りたたみ式の外装と、棒型のアンテナと、丸型のボタンとを選択する動作と、その丸形の画面と、折りたたみ式の外装と、棒型のアンテナと、丸型のボタンとを仕掛品１００に実装する動作とが登録されている。
【００４０】
検査装置１５０は、生産条件情報をＩＣタグ１２０から受信し、受信した生産条件情報に基づいてＩＣタグ１２０が付され、携帯電話機１１０の部品が実装された仕掛品１００の検査をおこなうものであり、機能的に生産装置アンテナ部１４２と、生産装置送受信部１４３と、検査装置制御部１５１と、検査作業部１５２とから構成される。なお、実装装置１４０と同一機能の構成要素には同一の符号を付し、その説明を省略する。
【００４１】
検査装置制御部１５１は、読み出しコマンドを生産装置送受信部１４３に送信し、生産装置送受信部１４３から生産条件情報を受信し、受信した生産条件情報に含まれている検査条件データの内容を表示装置（図外）に表示し、受信した検査条件データを検査作業部１５２に送信する。
【００４２】
検査作業部１５２は、予め複数の検査条件データに対応するＮＣデータを保持しており、検査装置制御部１５１から受信した検査条件データに基づいてＩＣタグ１２０が付され、携帯電話機１１０の部品が実装された仕掛品１００の検査をおこなう。ここで、ＮＣデータには、携帯電話機１１０の部品が実装された仕掛品１００の検査をおこなうための検査作業部１５２の動作の内容が登録されている。動作の内容とは、検査箇所を認識する動作と、その認識した検査箇所について検査をする動作との組合せである。例えば、「検査条件１」という検査条件データに対応するＮＣデータには、携帯電話機１１０の部品が実装された仕掛品１００の画面と、アンテナと、操作ボタンとを認識する動作と、その画面に画像や文字が表示されるかの検査と、そのアンテナで電波を受信できるかの検査と、そのボタンで情報を入力できるかの検査とをおこなう動作とが登録されている。
【００４３】
以上のように構成された本発明の実施の形態における携帯電話機生産システムの動作（本システムの携帯電話機生産の流れ）について、図７に示されたシーケンスに沿って順に説明する。
【００４４】
実装装置１４０は、電子部品が実装されたプリント基板等の仕掛品１００から携帯電話機１１０を生産する生産ラインにおいて、携帯電話機１１０の部品を実装する工程にある仕掛品１００に付されたＩＣタグ１２０に向けて読み出しコマンドを含む所定周波数の電波を所定時間送信し続ける（ステップＳ７０１）。ここで、所定時間とは、実装装置１４０がＩＣタグ１２０から生産条件情報を受信するのに十分な時間をいう。
【００４５】
仕掛品１００に付されたＩＣタグ１２０のタグアンテナ部１２１は、読み出しコマンドを含む所定周波数の電波を受信し、交流電力を生成し、その交流電力を電源部１２３に供給する。電源部１２３は、交流電力から直流電力を生成し、タグ送受信部１２２とタグ記憶部１２４およびタグ制御部１２５に供給する。タグ送受信１２２は、タグアンテナ部１２１により受信した所定周波数の電波を復調し、読み出しコマンドを再現し、再現した読み出しコマンドをタグ制御部１２５に送信する。タグ制御部１２５は、読み出しコマンドに基づいてタグ記憶部１２４から生産条件情報を受信し、タグ送受信部１２２に送信する（ステップＳ７０２）。
【００４６】
タグ送受信部１２２は、受信した生産条件情報を所定周波数の信号に変調し、タグアンテナ部１２１に送信する。タグアンテナ部１２１は、生産条件情報を所定周波数の電波として実装装置１４０に送信する（ステップＳ７０３）。
【００４７】
実装装置１４０の生産装置アンテナ部１４２は、生産条件情報を含む所定周波数の電波を受信する。生産装置送受信部１４３は、生産装置アンテナ部１４２により受信した所定周波数の電波を復調し、生産条件情報を再現し、再現した生産条件情報を実装装置制御部１４４に送信する。実装装置制御部１４４は、受信した生産条件情報に含まれる実装条件データと、実装装置記憶部１４１に記憶されている実装画像テーブル１４１ａとに基づいて実装装置記憶部１４１から実装画像情報を受信し、受信した実装画像情報の内容を表示装置に表示し、受信した生産条件情報に含まれる実装条件データを実装作業部１４５に送信する。実装作業部１４５は、受信した実装条件データに対応するＮＣデータに従ってＩＣタグ１２０が付された仕掛品１００に携帯電話機１１０の部品を実装する（ステップＳ７０４）。例えば、実装装置１４０が仕掛品１００に付されたＩＣタグ１２０から「生産条件１」という生産条件情報を受信した場合、実装装置制御部１４４は、「実装条件１」という実装条件データを含む「実装画像１」という実装画像情報を実装装置記憶部１４１から受信し、受信した「実装画像１」という実装画像情報の内容を表示装置に表示し、実装作業部１４５は、丸型の画面と、折りたたみ式の外装と、棒型のアンテナと、丸型のボタンとを選択し、その選択した丸型の画面と、折りたたみ式の外装と、棒型のアンテナと、丸型のボタンとを仕掛品１００に実装する（図３、５、６参照）。
【００４８】
ここで、実装装置１４０の表示装置に表示される内容を図８（ａ）に示す。
図８（ａ）は、実装装置１４０が仕掛品１００に付されたＩＣタグ１２０から「生産条件５」という生産条件情報を受信した場合に、表示装置に表示される内容を示したものである。表示内容は、実装された仕掛品１００の画像からなり、この場合、実装装置制御部１４４は、表示装置に丸型の画面と、折りたたみ式の外装と、丸型のボタンと、棒状のアンテナを備えた携帯電話機１１０の画像を表示する（図３、６参照）。
【００４９】
検査装置１５０は、検査をおこなう工程にあり、携帯電話機１１０の部品が実装された仕掛品１００に付されたＩＣタグ１２０に向けて読み出しコマンドを含む所定周波数の電波を所定時間送信し続ける（ステップＳ７０５）。ここで、所定時間とは、検査装置１５０がＩＣタグ１２０から生産条件情報を受信するのに十分な時間をいう。
【００５０】
仕掛品１００に付されたＩＣタグ１２０のタグアンテナ部１２１は、読み出しコマンドを含む所定周波数の電波を受信し、交流電力を生成し、その交流電力を電源部１２３に供給する。電源部１２３は、交流電力から直流電力を生成し、タグ送受信部１２２とタグ記憶部１２４およびタグ制御部１２５に供給する。タグ送受信部１２２は、タグアンテナ部１２１により受信した所定周波数の電波を復調し、読み出しコマンドを再現し、再現した読み出しコマンドをタグ制御部１２５に送信する。タグ制御部１２５は、読み出しコマンドに基づいてタグ記憶部１２４から生産条件情報を受信し、タグ送受信部１２２に送信する（ステップＳ７０６）。
【００５１】
タグ送受信部１２２は、受信した生産条件情報を所定周波数の信号に変調し、タグアンテナ部１２１に送信する。タグアンテナ部１２１は、生産条件情報を所定周波数の電波として検査装置１５０に送信する（ステップＳ７０７）。
【００５２】
検査装置１５０の生産装置アンテナ部１４２は、生産条件情報を含む所定周波数の電波を受信する。生産装置送受信部１４３は、生産装置アンテナ部１４２により受信した所定周波数の電波を復調し、生産条件情報を再現し、再現した生産条件情報を検査装置制御部１５１に送信する。検査装置制御部１５１は、受信した生産条件情報に含まれる検査条件データの内容を表示装置に表示し、その受信した検査条件データを検査作業部１５２に送信する。検査作業部１５２は、受信した検査条件データに対応するＮＣデータに従ってＩＣタグ１２０が付され、携帯電話機１１０の部品が実装された仕掛品１００の検査をする（ステップＳ７０８）。例えば、検査装置１５０が携帯電話機１１０の部品が実装された仕掛品１００に付されたＩＣタグ１２０から「生産条件１」という生産条件情報を受信した場合、検査装置制御部１５１は、「検査条件１」という検査条件データの内容を表示装置に表示し、検査作業部１５２は、携帯電話機１１０の部品が実装された仕掛品１００の画面と、アンテナと、操作ボタンとを認識し、その画面に画像や文字が表示されるかの検査と、そのアンテナで電波を受信できるかの検査と、その操作ボタンで情報を入力できるかの検査とをおこなう（図４、５参照）。
【００５３】
ここで、検査装置１５０の表示装置に表示される内容を図８（ｂ）に示す。
図８（ｂ）は、検査装置１５０が携帯電話機１１０の部品が実装された仕掛品１００に付されたＩＣタグ１２０から「生産条件２」という生産条件情報を受信した場合に、表示装置に表示される内容を示したものである。表示内容は、検査条件データに登録された検査の内容からなり、この場合、検査装置制御部１５１は、表示装置に「アンテナにより電波を受信できるか」という文字と、「ボタンにより情報を入力できるか」という文字とを表示する（図４、５参照）。
【００５４】
次に、新たな実装条件データと、新たな検査条件データと、新たな生産条件情報と、新たな実装画像情報との作成について説明する。
編集装置制御部１３４は、実装条件登録部１３４ａにより新たな実装条件データを作成し、新たに作成した実装条件データを編集装置記憶部１３１に記憶されている実装条件テーブル１３１ａに追加する。例えば、仕掛品１００に三角型の画面と、折りたたみ式の外装と、三角型のアンテナと、四角型のボタンとを実装させる実装条件データを新たに作成する場合、編集装置制御部１３４は、実装条件登録部１３４ａにより実装条件データの「画面」の欄を「三角型」とし、「外装」の欄を「折りたたみ可能」とし、「アンテナ」の欄を「三角型」とし、「ボタン」の欄を「四角型」とし、新たな実装条件データを作成し、この実装条件データを編集装置記憶部１３１に記憶されている実装条件テーブル１３１ａに追加する。
【００５５】
編集装置制御部１３４は、検査条件登録部１３４ｂを備え、検査条件登録部１３４ｂにより新たな検査条件データを作成し、新たに作成した検査条件データを編集装置記憶部１３１に記憶されている検査条件テーブル１３１ｂに追加する。例えば、携帯電話機１１０の部品が実装された仕掛品１００の画面に画像や文字が表示されるかの検査と、アンテナで電波を受信できるかの検査とをおこなわせる検査条件データを新たに登録する場合、編集装置制御部１３４は、検査条件登録部１３４ｂにより検査条件データの「画面」の欄を「○」とし、「アンテナ」の欄を「○」とし、「操作ボタン」の欄を「×」とし、新たな検査条件データを作成し、この検査条件データを編集装置記憶部１３１に記憶されている検査条件テーブル１３１ｂに追加する。
【００５６】
編集装置制御部１３４は、生産条件登録部１３４ｃを備え、生産条件登録部１３４ｃにより新たな生産条件情報を作成し、新たに作成した生産条件情報を編集装置記憶部１３１に記憶されている生産条件テーブル１３１ｃに追加する。例えば、仕掛品１００に三角型の画面と、折りたたみ式の外装と、四角型のアンテナと、四角型のボタンとを実装させ、その実装された仕掛品１００の画面に画像や文字が表示されるかの検査と、アンテナで電波を受信できるかの検査と、操作ボタンで情報を入力できるかの検査とをおこなわせる生産条件情報を新たに作成する場合、編集装置制御部１３４は、生産条件登録部１３４ｃにより生産条件テーブル１３１ｃの「実装条件」の欄を「実装条件４」とし、「検査条件」の欄を「検査条件１」とし、新たな生産条件情報を作成し、その生産条件情報を編集装置記憶部１３１に記憶されている生産条件テーブル１３１ｃに追加する（図３、４参照）。
【００５７】
実装装置制御部１４４は、実装画像登録部１４４ａにより新たな実装画像情報を作成し、新たに作成した実装画像情報を実装装置記憶部１４１に記憶させる。例えば、実装装置制御部１４４が「実装条件４」という実装条件データを受信したときに、その実装条件データの内容を画像で表示装置に表示する実装画像情報を新たに作成する場合、実装装置制御部１４４は、実装画像登録部１４４ａにより三角型の画面と、折りたたみ式の外装と、四角型のアンテナと、四角型のボタンとが実装された仕掛品１００の画像に関する「画像４」という画像データを作成し、「画像」の欄を「画像４」とし、「実装条件」の欄を「実装条件４」とし、新たな実装画像情報を作成し、その実装画像情報を実装装置記憶部１４１に記憶されている実装画像テーブル１４１ａに追加する（図３参照）。
【００５８】
次に、本発明の実施の形態における製品生産システムの動作（本システムの生産条件情報書き込みの流れ）について、図９に示されたシーケンスに沿って順に説明する。
【００５９】
同図の処理も、ユーザ操作に従って開始及び終了する。開始の操作を受けて編集装置制御部１３４は、生産条件テーブル１３１ｃに含まれる生産条件情報の一覧を表示装置に表示する（ステップＳ９０１）。
【００６０】
編集装置制御部１３４は、操作装置による選択に従って生産条件情報の一覧から生産条件情報を選択し、選択した生産条件情報と、書き込みコマンドとを編集装置送信部１３３に送信する（ステップＳ９０２）。
【００６１】
編集装置送信部１３３は、編集装置制御部１３４から受信した生産条件情報と、書き込みコマンドとを所定周波数の信号に変調し、編集装置アンテナ部１３２に送信する。編集装置アンテナ部１３２は、生産条件情報と、書き込みコマンドとを含む所定周波数の電波をＩＣタグ１２０に向けて所定時間送信し続ける（ステップＳ９０３）。ここで、所定時間とは、ＩＣタグ１２０が既に登録されている生産条件情報を新たに受信した生産条件情報と置き換えるのに十分な時間をいう。
【００６２】
タグアンテナ部１２１は、生産条件情報と、書き込みコマンドとを含む所定周波数の電波を受信し、交流電力を生成し、その交流電力を電源部１２３に供給する。電源部１２３は、交流電力から直流電力を生成し、タグ送受信部１２２とタグ記憶部１２４およびタグ制御部１２５に供給する。タグ送受信部１２２は、タグアンテナ部１２１により受信した所定周波数の電波を復調し、生産条件情報と、書き込みコマンドとを再現し、再現した生産条件情報と、書き込みコマンドとをタグ制御部１２５に送信する。タグ制御部１２５は、タグ送受信部１２２から受信した書き込みコマンドに従って、タグ送受信部１２２から受信した生産条件情報をタグ記憶部１２４に記憶されている生産条件情報と置き換える（ステップＳ９０４）。
【００６３】
以上のように本実施の形態によれば、仕掛品１００に付されたＩＣタグ１２０が携帯電話機１１０の生産条件情報を記憶し、実装装置１４０は、その生産条件情報に基づいて仕掛品１００に携帯電話機１１０の部品を実装し、検査装置１５０は、その生産条件情報に基づいて携帯電話機１１０の部品が実装された仕掛品１００を検査する。よって、携帯電話機１１０は仕掛品１００に付されたＩＣタグ１２０の指示により生産されるので、本携帯電話機生産システムでは、人為的な操作により実装装置１４０、検査装置１５０の設定を変更することなく、仕掛品１００から複数種の携帯電話機１１０を生産することができる。
【００６４】
また、携帯電話機１１０は、仕掛品１００に付されたＩＣタグ１２０が記憶する生産条件情報に基づいて生産される。よって、仕掛品１００が携帯電話機１１０の仕様を決定する権限を持つこととなるので、本携帯電話機生産システムでは、製品主導型の生産システムを実現することができる。
【００６５】
また、仕掛品１００に付されたＩＣタグ１２０が携帯電話機１１０の生産条件情報を記憶し、仕掛品１００に着脱可能な状態で付されている。よって、仕掛品１００に付されたＩＣタグ１２０を取り換えることで、生産する携帯電話機１１０を変更することができるので、本携帯電話機生産システムでは、容易に生産する携帯電話機１１０を変更することができる。例えば、携帯電話機１１０の試作品の生産等をおこなう場合、単に試作品を生産するための生産条件情報を記憶したＩＣタグ１２０を仕掛品１００に付すことで、携帯電話機１１０の試作品の生産をおこなうことができる。
【００６６】
また、本実施の形態によれば、編集装置１３０は、生産条件情報をＩＣタグ１２０に記憶させることができる。よって、ＩＣタグ１２０に新たな生産条件情報を記憶させることで、生産する携帯電話機１１０を変更することができるので、本携帯電話機生産システムでは、仕掛品１００に付されているＩＣタグ１２０を取り換えることなく生産する携帯電話機１１０を変更することができる。例えば、丸型のアンテナを備えた携帯電話機１１０を生産しているときに、市場では棒型のアンテナを備えた携帯電話機１１０が良く売れていることがわかった場合、本携帯電話機生産システムでは、仕掛品１００に付されたＩＣタグ１２０に棒型のアンテナを備えた携帯電話機１１０を生産するための生産条件情報を記憶させることで、市場が要求する棒型のアンテナを備えた携帯電話機１１０を容易に生産することができる。
【００６７】
また、本実施の形態によれば、仕掛品１００に付されたＩＣタグ１２０が携帯電話機１１０の生産条件情報を記憶している。よって、実装装置１４０、検査装置１５０は携帯電話機１１０の生産条件情報を記憶する必要が無いので、本携帯電話機生産システムでは、実装装置１４０、検査装置１５０の負担を軽減することができる。
【００６８】
また、本実施の形態によれば、仕掛品１００に付されたＩＣタグ１２０が携帯電話機１１０の生産条件情報を記憶し、実装装置１４０はその生産条件情報に含まれる実装条件データの内容を画像により表示する。よって、実装装置１４０のユーザは実装の内容を画像により確認することができるので、本携帯電話機生産システムでは、ミス無く正確に携帯電話機１１０の部品を仕掛品１００に実装することがきる。
【００６９】
また、本実施の形態によれば、仕掛品１００に付されたＩＣタグ１２０が携帯電話機１１０の生産条件情報を記憶し、実装装置１４０はその生産条件情報に含まれる検査条件データの内容を文字により表示する。よって、検査装置１５０のユーザは検査の内容を確認することができるので、本携帯電話機生産システムでは、ミス無く正確に携帯電話機１１０の部品が実装された仕掛品１００の検査をおこなうことができる。
【００７０】
また、本実施の形態によれば、編集装置１３０は、新たな生産条件情報を作成することができる。よって、本携帯電話機生産システムでは、新たな携帯電話機１１０のアイデアを迅速且つ容易に携帯電話機１１０の生産につなげることができる。つまり、常に新しい携帯電話機１１０を要求する市場に対応することができる。
【００７１】
なお、本実施の形態では、仕掛品１００から携帯電話機１１０を生産する生産ラインとして電子部品が実装された仕掛品１００に携帯電話機１１０の部品を実装する工程と、その携帯電話機１１０の部品が実装された仕掛品１００の検査をおこなう工程とを含む生産ラインを例示した。しかし、仕掛品１００から携帯電話機１１０を生産する生産ラインが他の工程を含み、ＩＣタグ１２０が他の工程に関する生産条件情報を記憶し、他の工程において携帯電話機１１０の生産に関わる装置が実装装置１４０と同様の機能を備えることで、携帯電話機生産システムは、仕掛品１００から携帯電話機１１０を生産するために他の工程を含む生産ラインにおいて実施されてもよい。例えば、携帯電話機１１０の仕掛品１００はプリント基板であり、プリント基板等の仕掛品１００から携帯電話機１１０を生産する生産ラインであった場合、ＩＣタグ１２０が仕掛品１００に電子部品を実装する工程に関する生産条件情報を記憶し、仕掛品１００に電子部品を実装する装置がＩＣタグ１２０から生産条件情報を読み出し、その読み出した生産条件情報に従って仕掛品１００に電子部品を実装する機能を備えることで、携帯電話機生産システムは、プリント基板等の仕掛品１００に電子部品を実装する工程を含む生産ラインにおいて実施されることができる。
【００７２】
また、本実施の形態では、仕掛品１００に携帯電話機１１０の部品を実装する工程を経た後は携帯電話機１１０の部品が実装された仕掛品１００の検査をおこなう工程に進むものとした。しかし、複数の工程を含む生産ラインにおいて、生産条件情報が仕掛品１００のたどる工程の順序に関する情報を含むことにより、仕掛品１００に付されたＩＣタグ１２０は、仕掛品１００が経るべき工程を指示してもよい。例えば、生産ラインが電子部品を実装する工程と、携帯電話機１１０の部品を実装する工程と、検査する工程とを含む場合、生産条件情報が「電子部品を実装する工程を経た後は携帯電話機１１０の部品を実装する工程に、携帯電話機１１０の部品を実装する工程を経た後は検査する工程に進む。」といった内容の情報を含むことで、仕掛品１００に付されたＩＣタグ１２０は、仕掛品１００が経るべき工程を指示することができる。
【００７３】
また、本実施の形態では、実装装置制御部１４４は、ＩＣタグ１２０から受信した生産条件情報に基づいて実装装置記憶部１４１から実装画像情報を受信し、受信した実装画像情報の内容を表示装置に表示するとした。しかし、編集装置１３０が実装画像情報を記憶し、その実装画像情報をＩＣタグ１２０に送信する機能を備え、ＩＣタグ１２０が実装画像情報を記憶する機能を備え、実装装置１４０がＩＣタグ１２０から実装画像情報を読み出す機能を備えることで、実装装置制御部１４４は、ＩＣタグ１２０から受信した実装画像情報の内容を表示装置に表示してもよい。
【００７４】
また、本実施の形態では、検査装置制御部１５１は、検査条件データの内容を文字により表示するとした。しかし、検査装置１５０が検査条件データに対応づけられた検査画像情報を記憶し、その検査画像情報を画像により表示する表示装置を備えることで、検査装置制御部１５１は、ＩＣタグ１２０から受信した生産条件情報に含まれる検査条件データの内容を画像により表示装置に表示してもよい。
【００７５】
また、本実施の形態では、実装装置制御部１４４は、ＩＣタグ１２０から受信した生産条件情報に含まれる実装条件データに基づいて実装装置記憶部１４１から実装画像情報を受信し、受信した実装画像情報の内容を表示装置に表示するとした。しかし、実装装置制御部１４４は、ＩＣタグ１２０から受信した生産条件情報に含まれる実装条件データの内容を文字により表示装置に表示してもよい。
【００７６】
また、本実施の形態では、実装装置１４０は実装条件データの内容を画像により表示装置に表示するとした。しかし、実装装置１４０が実装条件データに対応づけられた音声情報を記憶し、音声情報の内容を音声で出力する音声出力装置を備えることで、実装装置１４０は、実装条件データの内容を音声により出力してもよい。
【００７７】
また、本実施の形態では、検査装置１５０は検査条件データの内容を文字により表示装置に表示するとした。しかし、検査装置１５０が検査条件データに対応づけられた音声情報を記憶し、音声情報の内容を音声で出力する音声出力装置を備えることで、検査装置１５０は、検査条件データの内容を音声により出力してもよい。
【００７８】
また、本実施の形態では、携帯電話機１１０の仕掛品１００に携帯電話機１１０の生産条件情報が記憶されたＩＣタグ１２０を付した。しかし、実装装置１４０、検査装置１５０がＩＣタグ１２０の指定する仕掛品１００を特定できればそれに限られず、ＩＣタグ１２０は、仕掛品１００が置かれるパレットや容器等に付されてもよい。
【００７９】
また、本実施の形態では、実装作業部１４５が仕掛品１００に携帯電話機１１０の部品を実装し、検査作業部１５２が携帯電話機１１０の部品が実装された仕掛品１００の検査をおこなうとした。しかし、実装装置１４０のユーザが表示装置により表示された実装条件データの内容を確認し、検査装置１５０のユーザが表示装置に表示された検査条件データの内容を確認することにより、実装装置１４０のユーザが仕掛品１００に携帯電話機１１０の部品を実装し、検査装置１５０のユーザが携帯電話機１１０の部品が実装された仕掛品１００の検査をおこなってもよい。
【００８０】
また、本実施の形態では、実装作業部１４５が実装条件データに対応したＮＣデータを記憶し、検査作業部１５２が検査条件データに対応したＮＣデータを記憶するとした。しかし、ＩＣタグ１２０が実装条件データに対応したＮＣデータと検査条件データに対応したＮＣデータとを記憶することにより、実装装置１４０は、ＩＣタグ１２０から受信したＮＣデータにより仕掛品１００に携帯電話機１１０の部品を実装し、検査装置１５０は、携帯電話機１１０の部品が実装された仕掛品１００の検査をおこなってもよい。
【００８１】
また、本実施の形態では、携帯電話機１１０の生産について例示した。しかし、製品生産システムは、食品、衣料、化学薬品、精密機械、工作機械、ロボット、自動車、航空機、船舶等、その他の種々の工業製品の生産に適用されてもよい。
【００８２】
【発明の効果】
以上の説明から明らかなように、本発明に係る製品生産システムによれば、製品の仕掛品に付された非接触ＩＣタグが製品の生産条件を記憶することとなり、異なる生産条件を記憶する複数の非接触ＩＣタグを複数の仕掛品に付すことにより異なる製品を生産することができるので、複数種の製品を容易に生産でき、かつ、工程の内容が異なる２以上の製品を容易に生産できるという効果が奏される。また、本発明に係る製品生産システムによれば、製品はその製品の仕掛品に付された非接触ＩＣタグに記憶された生産条件に基づいて生産されるので、製品の仕掛品がその製品の仕様を決定するという製品主導型の生産システムを新たに提供できるという効果が奏される。また、本発明に係る製品生産システムによれば、生産条件を記憶している非接触ＩＣタグが仕掛品に着脱可能な状態で付されているので、仕掛品に付された非接触ＩＣタグを取り換えることで，容易に生産する製品を変更することができるという効果が奏される。また、本発明に係る製品生産システムによれば、仕掛品に付された非接触ＩＣタグが製品の生産条件を記憶することとなり、生産装置は製品の生産条件を記憶する必要が無いので、生産装置の負担を軽減することができるという効果が奏される。また、本発明に係る製品生産システムによれば、新たな生産条件を作成することができるので、新たな製品のアイデアを迅速且つ容易に携帯電話機の生産につなげることができ、常に新しい製品を要求する市場に対応することができるという効果が奏される。
【００８３】
よって、本発明により、製品の生産工程において、異なる製品を容易に生産することができる製品生産システムを提供することが可能となり、消費者の嗜好が多様化し、生産者に要求される製品が多様化してきた今日における実用的価値は極めて高い。
【図面の簡単な説明】
【図１】本発明の実施の形態における製品生産システムの使用状況を示すシステム構成図である。
【図２】同システムの構成を示すブロック図である。
【図３】同システムにおける実装条件テーブルの内容を示すテーブル図である。
【図４】同システムにおける検査条件テーブルの内容を示すテーブル図である。
【図５】同システムにおける生産条件テーブルの内容を示すテーブル図である。
【図６】同システムにおける実装画像テーブルの内容を示すテーブル図である。
【図７】同システムにおける携帯電話機生産の動作を示すシーケンス図である。
【図８】（ａ）は、同システムにおいて実装装置１４０が仕掛品１００に付されたＩＣタグ１２０から「生産条件５」という生産条件情報を受信したときに表示される内容を示す図である。
（ｂ）は、同システムにおいて検査装置１５０が仕掛品１００に付されたＩＣタグ１２０から「生産条件２」という生産条件情報を受信したときに表示される内容を示す図である。
【図９】同システムにおける新たな生産条件情報の書き込みの動作を示すシーケンス図である。
【符号の説明】
１００    仕掛品
１１０    携帯電話機
１２０    ＩＣタグ
１２１    タグアンテナ部
１２２    タグ送受信部
１２３    電源部
１２４    タグ記憶部
１２５    タグ制御部
１３０    編集装置
１３１    編集装置記憶部
１３１ａ    実装条件テーブル
１３１ｂ    検査条件テーブル
１３１ｃ    生産条件テーブル
１３２    編集装置アンテナ部
１３３    編集装置送信部
１３４    編集装置制御部
１３４ａ    実装条件登録部
１３４ｂ    検査条件登録部
１３４ｃ    生産条件登録部
１４０    実装装置
１４１    実装装置記憶部
１４１ａ    実装画像テーブル
１４２    生産装置アンテナ部
１４３    生産装置送受信部
１４４    実装装置制御部
１４４ａ    実装画像登録部
１４５    実装作業部
１５０    検査装置
１５１    検査装置制御部
１５２    検査作業部
【図１】
2004252566.tif 000003
【図２】
2004252566.tif 000004
【図３】
2004252566.tif 000005
【図４】
2004252566.tif 000006
【図５】
2004252566.tif 000007
【図６】
2004252566.tif 000008
【図７】
2004252566.tif 000009
【図８】
2004252566.tif 000010
【図９】
2004252566.tif 000011